(57)【要約】【解決手段】浮桟橋式の網場Ｂに外力が作用してそれが傾斜するのに対応して、外力が作用する側の反対側に位置する容器Ｅを水面下から水面より上方に在らしめる。浮力が働かなくなったこの容器Ｅ内にある水の重量を浮桟橋式の網場Ｂの傾斜抑制方向である垂直方向に作用させ、その力で浮桟橋式の網場の傾斜ないし転倒を抑制する。【効果】浮桟橋式の網場Ｂの傾斜ないし転倒を効果的に抑制することができる。水中での容器Ｅの重量をできるだけゼロに近いものとすると、網場Ｂのバランスを保つ上で極めて有利である。【選択図】  図１
2004360362.tif 000002
【特許請求の範囲】
【請求項１】
浮桟橋式の網場に外力が作用してそれが傾斜するのに対応して、外力が作用する側の反対側に位置する容器を水面下から水面より上方に在らしめ、浮力が働かなくなったこの容器内にある水の重量を浮桟橋式の網場の傾斜抑制方向である垂直方向に作用させ、その力で浮桟橋式の網場の傾斜ないし転倒を抑制することを特徴とする浮桟橋式網場の傾斜・転倒抑制方法。
【請求項２】
浮桟橋式の網場の重心よりできるだけ遠くに、容器を取り付けることを特徴とする請求項１記載の浮桟橋式網場の傾斜・転倒抑制方法。
【請求項３】
水中での容器の重量を、できるだけゼロに近いものとすることを特徴とする請求項１又は２記載の浮桟橋式網場の傾斜・転倒抑制方法。
【請求項４】
浮桟橋式の網場の外力が作用する側の反対側に、貯水可能であって前記外力が作用していないとき水面下に位置する容器を配置したことを特徴とする浮桟橋式網場の傾斜・転倒抑制装置。
【請求項５】
浮桟橋式の網場が函体構造の場合において、下流側の函体端部に隔壁を介して容器としてのバラスト室を備え、このバラスト室には、浮桟橋式の網場の傾斜時においてその中の水が流出しない位置に通水孔を形成したことを特徴とする請求項４記載の浮桟橋式網場の傾斜・転倒抑制装置。
【請求項６】
浮桟橋式の網場が双胴型の場合において、下流側の浮力体底面に容器としての空室を備え、この空室には、浮桟橋式の網場の傾斜時においてその中の水が流出しない位置に通水孔を形成したことを特徴とする請求項４記載の浮桟橋式網場の傾斜・転倒抑制装置。
【発明の詳細な説明】
【０００１】
【発明の属する技術分野】
本発明は、ダムその他の貯水場の取水口に塵芥が流入するのを防止するための浮桟橋式の網場（通常、流木止めと呼ばれる）の傾斜ないし転倒を抑制する方法とその装置に関するものである。
【０００２】
【従来の技術】
例えば、発電を目的とするダムには、その取水口Ａに塵芥が流入するのを防止するために浮桟橋式の網場Ｂが施工されている。この網場は、浮桟橋の前面に防塵板を垂下させた構造の施設であって、長さ５〜１０ｍ程度の単体（図４において、図面符号Ｃで示す）を多数連結し、それらをワイヤロープＤ等で係留してあるのが一般的である。取水口Ａの前面は特に流速が速いため、浮桟橋式の網場Ｂは不安定であり、洪水時には転倒してしまう事例も見られる。また、転倒しないまでも大きく傾斜することは否めない。大きく傾斜した網場上での除塵作業は危険を伴い、管理上の問題となっていた。
【０００３】
【発明が解決しようとする課題】
取水口前に設置される浮桟橋式の網場Ｂは、取水による流れの影響で常にある程度傾斜しているのが普通である。また、取水量が常に変化しているため、傾斜の度合いも一定していない。特に、夏季の出水時期においては取水量も最大となるから、網場Ｂは図５の左側に示すように大きく傾いたり、風波の影響と相俟って転倒する事例も見られる。
このような事態が生じないようにするために、図５の右側に示すように、浮桟橋式の網場の幅、特に、浮力体の幅を広げる（大きくする）ことにより、網場を安定させる方法が採られてきたが、コストが高くなる欠点がある。
【０００４】
また、浮桟橋式の網場をはじめとする浮体構造物において、外力に対する安定性を確保するために、通常、外力が作用する側と反対側に、適宜容量の容器を水面近くに水没させた状態で吊り下げることが考えられている（例えば、特許文献１参照）が、この場合にもコストが高くなる欠点がある。
【０００５】
【特許文献１】
特開平５−２４６３８１号公報（第１頁、図１）
【０００６】
また、浮桟橋式の網場の幅（浮力体の幅）を広げる（大きくする）従来方式や特許文献１の場合のように適宜容量の容器を水面近くに水没させた状態で吊り下げる方式を採る場合には、外形寸法に制約があるところでは採用できないという致命的欠陥がある。
【０００７】
【課題を解決するための手段】
本発明の目的は、上述した種々の欠点を解消し得る浮桟橋式の網場を提供することである。そして、この目的を達成するために、本発明では、浮桟橋式の網場Ｂに外力が作用してそれが傾斜するのに対応して、外力が作用する側の反対側に位置する容器Ｅを水面下から水面より上方に在らしめ、浮力が働かなくなったこの容器Ｅ内にある水の重量を浮桟橋式の網場Ｂの傾斜抑制方向である垂直方向に作用させ、その力で浮桟橋式の網場Ｂの傾斜ないし転倒を抑制する。
【０００８】
この原理を図１に基いて説明すると、浮桟橋式の網場Ｂに水流等の外力が作用していない状態では、図１（ａ）に示すように、網場Ｂは傾斜せず、浮桟橋式の網場Ｂに外力が作用する側の反対側（図１（ａ）の右側）に位置する容器Ｅは、水面下にある。このとき、水面下にある容器Ｅ内の水の重量は浮力と相殺される。
浮桟橋式の網場Ｂに水流等の外力が作用して網場Ｂが傾斜し始めると、それに対応して、図１（ｂ）に示すように、今まで水面下にあった容器Ｅが水面より上方に引き上げられ、浮力が働かなくなったこの容器Ｅ内にある水の重量を浮桟橋式の網場Ｂの傾斜抑制方向である垂直方向に作用させることができる。垂直方向に作用するこの力は、浮桟橋式の網場Ｂの傾斜ないし転倒を抑制するのに役立つものであって、この力が浮桟橋式の網場Ｂの垂直方向に掛かることによって網場Ｂの傾斜ないし転倒を抑制することができる。
【０００９】
浮桟橋式の網場Ｂの重心よりできるだけ遠くに、容器Ｅを取り付けることが望ましい。その方が、網場Ｂの傾斜ないし転倒を抑制するのにより効果的である。
【００１０】
水中での容器Ｅの重量をできるだけゼロに近いものとすることが望ましい。この場合には、容器Ｅの重量が水中でほぼゼロになるから、水面下にある容器Ｅ内の水の重量は浮力と相殺され、荷重ゼロとなり、網場Ｂのバランスを保つ上で極めて有利である。
【００１１】
一方、本発明においては、浮桟橋式の網場Ｂの外力が作用する側の反対側に、貯水可能であって前記外力が作用していないとき水面下に位置する容器Ｅが配置されている。この場合の基本的な構成を、図１に簡略化して示す。
容器Ｅはできるだけ軽量な材料で作製し、また、水中での容器Ｅの重量をできるだけゼロに近いものとすることが望ましい。
また、浮桟橋式の網場Ｂの重心よりできるだけ遠くに、容器Ｅを取り付けることが望ましい。そのためには、浮桟橋式の網場ＢからアームＦを延び出させ、その先側に容器Ｅを位置させるとよい。
【００１２】
この場合において、浮桟橋式の網場Ｂに水流等の外力が作用していない状態では、図１（ａ）に示すように、網場Ｂは傾斜せず、浮桟橋式の網場Ｂに外力が作用する側の反対側（図１（ａ）の右側）に位置する容器Ｅは、水面下にある。このとき、水面下にある容器Ｅ内の水の重量は浮力と相殺される。
浮桟橋式の網場Ｂに水流等の外力が作用して網場Ｂが傾斜し始めると、それに対応して、図１（ｂ）に示すように、今まで水面下にあった容器Ｅが水面より上方に引き上げられ、浮力が働かなくなったこの容器Ｅ内にある水の重量を浮桟橋式の網場Ｂの傾斜抑制方向である垂直方向に作用させることができる。垂直方向に作用するこの力は、浮桟橋式の網場Ｂの傾斜ないし転倒を抑制するのに役立つものであって、この力が浮桟橋式の網場Ｂの垂直方向に掛かることによって網場Ｂの傾斜ないし転倒を抑制することができる。
【００１３】
図２（ａ）に示すように、浮桟橋式の網場Ｂが函体構造の場合には、下流側の函体Ｇの端部に隔壁ｈを介して容器としてのバラスト室Ｈを備え、このバラスト室Ｈには、浮桟橋式の網場Ｂの傾斜時においてその中の水が流出しない位置に通水孔ｈ’を形成しておくとよい。
このように、下流側の函体Ｇの端部に隔壁ｈを介して容器としてのバラスト室Ｈを備えることにより、図１において図面符号Ｅで示す容器を備えた場合と同様の効果を得ることができる。
【００１４】
また、図２（ｂ）に示すように、浮桟橋式の網場Ｂが双胴型の場合には、下流側の浮力体Ｉの底面に容器としての空室ｉを備え、この空室ｉには、浮桟橋式の網場Ｂの傾斜時においてその中の水が流出しない位置に通水孔ｉ’を形成しておくとよい。
このように、下流側の浮力体Ｉの底面に容器としての空室ｉを備えることにより、図１において図面符号Ｅで示す容器を備えた場合と同様の効果を得ることができる。
【００１５】
【発明の実施の形態】
本発明の好ましい実施の形態を、図３及び図４に基いて詳細に説明する。図３に、発電を目的とするダムの取水口に塵芥が流入するのを防止するための浮桟橋式の網場Ｂの一例を示す。図３（ａ）はその正面図、図３（ｂ）は平面図、図３（ｃ）は右側面図で、この網場Ｂには、後述するように、傾斜・転倒抑制装置が備えられている。
網場Ｂの前面には防塵板１が垂下させてある。図３（ａ），（ｂ）では、一部の防塵板１を省略して示してある。ここに示す網場Ｂは双胴型と称されるものであり、図３（ｃ）の左右方向に２つの浮力体２，２を備えている。
【００１６】
そして、図３（ａ），（ｂ）の左右方向に現れる４つの浮力体２で１組となるようにフレーム３が組み立てられており、それらで１つの単体Ｃが構成されている。これらの単体Ｃ，Ｃを左右方向に多数連結し、それらを図３（ｂ），（ｃ）において図面符号Ｄで示すワイヤロープで係留してある。各単体Ｃ，Ｃを多数並べてワイヤロープＤで係留し、網場Ｂとしてダムの取水口Ａに施工した状態を図４に示す。
なお、フレーム３から上方に延び出させた支柱４，４間にもワイヤロープ５，５が張られている。このワイヤロープ５はロープ緊張調整金具５ａにより緊張状態を調整できる。
【００１７】
網場Ｂとしてダムの取水口Ａに施工した場合において、水流等の外力が作用するのは図３（ｃ）では左側であり、そちら側に外力が作用すると、図１（ｂ）に示す場合と同じように網場Ｂが右上がりに傾斜する。それを防止するために、網場Ｂの外力が作用する側の反対側に、貯水可能であって前記外力が作用していないとき水面下に位置する容器が配置されている。図３（ｃ）において、図面符号６で示すものがその容器であり、図３（ｃ）の右側に位置する浮力体２の底面に取り付けられている。この容器６が網場Ｂの傾斜・転倒抑制装置に相当するものである。
なお、本発明の原理を説明するための図２（ｂ）の場合と同じように、この容器６には、浮桟橋式の網場Ｂの傾斜時においてその中の水が流出しない位置に通水孔が形成されているが、図３（ｃ）ではそれを省略してある。
【００１８】
ダムの取水口Ａの下流側すなわち図３（ｃ）の右側に位置する浮力体２の底面にこの容器６を備えることにより、図１において図面符号Ｅで示す容器、図２（ａ）において図面符号Ｈで示すバラスト室、図２（ｂ）において図面符号ｉで示す空室をそれぞれ備えた場合と同様の効果、すなわち、網場Ｂに外力が作用した場合においてそれが傾斜ないし転倒するのを抑制することができる。
【００１９】
なお、前記浮力体２の内部を発泡スチロール製とし、その外周をウレタン樹脂製の外皮で被覆しておくとよい。また、図３（ａ）、（ｂ）において、図面符号７は合性ゴムその他の材料からなる緩衝材、図面符号８は各単体Ｃ，Ｃを連結するためのリンクチェン、図面符号９は各単体Ｃ，Ｃのフレーム３，３上に水平状に配置したグレーチングである。
【００２０】
【発明の効果】
請求項１記載の方法を採用した場合には、浮桟橋式の網場の傾斜ないし転倒を効果的に抑制することができる。
【００２１】
請求項２記載の方法を採用した場合には、浮桟橋式の網場の傾斜ないし転倒をより効果的に抑制することができる。
【００２２】
請求項３記載の方法を採用した場合には、網場のバランスを保つ上で極めて有利である。
【００２３】
請求項４、５、６のいずれかに記載の装置によれば、網場の傾斜ないし転倒を防止するためのコストアップを抑え、廉価に安定した浮体構造物を得ることができる。また、外形寸法に制約があるところでも採用できるという利点を有する。
【図面の簡単な説明】
【図１】本発明の傾斜・転倒抑制方法の基本原理を説明するための概略図で、（ａ）は浮桟橋式の網場に外力が作用していない状態を、（ｂ）は浮桟橋式の網場に外力が作用している状態を示す。
【図２】浮桟橋式の網場の傾斜・転倒抑制装置の一例を示す概略図で、（ａ）は網場が函体構造の場合を、（ｂ）は網場が双胴型の場合を示す。
【図３】本発明の傾斜・転倒抑制装置を備えた浮桟橋式の網場をより具体的に示す概要図で、（ａ）はその正面図、（ｂ）は平面図、（ｃ）は右側面図である。
【図４】浮桟橋式の網場の施工状態の一例を示す概略平面図である。
【図５】浮桟橋式の網場の傾斜ないし転倒を防止するために、その幅（浮力体の幅）を広げる（大きくする）従来方式の一例を示す概略図である。
【符号の説明】
Ｂ…網場、Ｄ…ワイヤロープ、Ｅ…容器、Ｈ…バラスト室、ｈ…隔壁、ｈ’…通水孔、Ｉ…浮力体、ｉ…空室、ｉ’…通水孔、１…防塵板、２…浮力体、３…フレーム、６…容器。
【図１】
2004360362.tif 000003
【図２】
2004360362.tif 000004
【図３】
2004360362.tif 000005
【図４】
2004360362.tif 000006
【図５】
2004360362.tif 000007